(57)【要約】【課題】伝送帯域の利用効率と伝送路の信頼性とを両立して、データ系サービスを収容するネットワークを構成する伝送装置を提供する。【解決手段】プロテクション制御部２４は、所定の現用パスおよび予備パスによる冗長構成において、各パスの状態に応じて使用するパスを選択する。帯域管理部２６は、プロテクション制御部２４から現用パスおよび予備パスの状態を受信する。そして、帯域管理部２６は、予備パスが正常な待機状態であれば、現用パスを含むバーチャルコンカチネーション信号２９に予備パスを組み込む。また、帯域管理部２６は、予備パスが使用不可状態または使用状態であれば、バーチャルコンカチネーションに利用可能なパスだけでバーチャルコンカチネーション信号２９を構成する。【選択図】　　　図２
2004032061.tif 000002
【特許請求の範囲】
【請求項１】
複数のパスを連結して１つの伝送帯域を構成するバーチャルコンカチネーション処理と、複数のパスによる冗長構成において前記各パスの状態に応じて使用するパスを選択するプロテクション制御とが適用されたネットワークを構成する伝送装置における伝送経路設定方法であって、
所定の設定に従って現用パスおよび予備パスを設定するステップと、
前記プロテクション制御において前記予備パスが正常な待機状態であれば、前記現用パスを含むバーチャルコンカチネーション信号に該予備パスを組み込むステップと、
前記プロテクション制御において前記予備パスが使用不可状態であれば、前記バーチャルコンカチネーション信号から該予備パスを削除するステップと、
前記プロテクション制御において前記予備パスが使用状態であれば、該予備パスのみで前記バーチャルコンカチネーション信号を再構成するステップを有する伝送経路設定方法。
【請求項２】
前記ネットワークはリングネットワークであり、前記プロテクション制御はリングプロテクションの制御である、請求項１記載の伝送経路設定方法。
【請求項３】
複数のラインに含まれているパスを連結して１つの伝送帯域を構成するバーチャルコンカチネーション処理と、複数のラインによる冗長構成において前記各ラインの状態に応じて使用するラインを選択するプロテクション制御とが適用されたネットワークを構成する伝送装置における伝送経路設定方法であって、
所定の設定に従って現用ラインおよび予備ラインを設定するステップと、
前記プロテクション制御において前記予備ラインが正常な待機状態であれば、前記現用ラインに含まれるパスを含むバーチャルコンカチネーション信号に該予備ラインに含まれるパスを組み込むステップと、
前記プロテクション制御において前記予備ラインが使用不可状態であれば、前記バーチャルコンカチネーション信号から該予備ラインに含まれるパスを削除するステップと、
前記プロテクション制御において前記予備ラインが使用状態であれば、該予備ラインに含まれるパスのみで前記バーチャルコンカチネーション信号を再構成するステップを有する伝送経路設定方法。
【請求項４】
前記プロテクション制御は、１＋１のリニアプロテクションの制御である、請求項３記載の伝送経路設定方法。
【請求項５】
複数の伝送経路による冗長構成の経路選択制御を有するネットワークを構成する伝送装置における伝送経路設定方法であって、
所定の設定に従って現用の伝送経路と予備の伝送経路を設定するステップと、前記経路選択制御において前記予備の伝送経路が正常な待機状態であれば、前記予備の伝送経路を前記現用の伝送経路に連結するステップと、
前記経路選択制御において前記予備の伝送経路が使用不可状態または使用状態であれば、前記現用の伝送経路と前記予備の伝送経路の連結を解除するステップを有する伝送経路設定方法。
【請求項６】
複数のパスを連結して１つの伝送帯域を構成するバーチャルコンカチネーション処理と、複数のパスによる冗長構成において前記各パスの状態に応じて使用するパスを選択するプロテクション制御とが適用されたネットワークを構成する伝送装置であって、
所定の現用パスおよび予備パスに対して前記プロテクション制御を実行し、いずれか一方のパスを選択して使用するプロテクション制御部と、
前記プロテクション制御部から前記現用パスおよび前記予備パスの状態を受信し、前記予備パスが正常な待機状態であれば、前記現用パスを含むバーチャルコンカチネーション信号に該予備パスを組み込み、前記予備パスが使用不可状態または使用状態であれば、前記プロテクション制御部で選択されたパスのみで前記バーチャルコンカチネーション信号を再構成する帯域管理部を有する伝送装置。
【請求項７】
複数のパスを連結して１つの伝送帯域を構成するバーチャルコンカチネーション処理と、複数のパスによる冗長構成において前記各パスの状態に応じて使用するパスを選択するプロテクション制御とが適用されたネットワークを構成する伝送装置であって、
所定の現用パスおよび予備パスに対して前記プロテクション制御を実行し、いずれか一方のパスを選択して使用するプロテクション制御部と、
前記プロテクション制御部によって前記予備パスが選択され前記現用パスの代わりに使用されたとき、または前記予備パスが使用不可状態となったとき、前記予備パスに代えてアラーム表示信号を挿入するアラーム表示信号挿入部と、
前記アラーム表示信号が挿入されたパスを検出するパス監視部と、
前記パス監視部において前記アラーム表示信号が検出されなければ、前記現用パスを含むバーチャルコンカチネーション信号に前記予備パスを組み込み、前記アラーム表示信号が検出されれば、前記アラーム表示信号が検出されたパスを前記バーチャルコンカチネーション信号から削除する帯域管理部を有する伝送装置。
【請求項８】
前記現用パスおよび前記予備パスを入力として前記プロテクション制御部からの制御に従ってパスの接続を切り替えるパス接続部と、
前記帯域管理部からの指示に従って前記バーチャルコンカチネーション信号を構成する連結処理部とをさらに有する請求項６または７記載の伝送装置。
【請求項９】
前記現用パスまたは前記予備パスを含むラインを収容し、前記パス接続部に接続する少なくとも１つの第１のインタフェースをさらに有する、請求項８記載の伝送装置。
【請求項１０】
前記連結処理部により構成されたバーチャルコンカチネーション信号をユーザ装置との間で送受信する第２のインタフェースをさらに有する、請求項８または９記載の伝送装置。
【請求項１１】
前記ネットワークはリングネットワークであり、前記プロテクション制御はリングプロテクションの制御である、請求項６〜１１のいずれか１項に記載の伝送装置。
【請求項１２】
複数のパスを連結して１つの伝送帯域を構成するバーチャルコンカチネーション処理と、複数のラインによる冗長構成において前記各ラインの状態に応じて使用するラインを選択するプロテクション制御とが適用されたネットワークを構成する伝送装置であって、
所定の現用ラインおよび予備ラインに対して前記プロテクション制御を実行し、いずれか一方のラインを選択して使用するプロテクション制御部と、
前記プロテクション制御部から前記現用ラインおよび前記予備ラインの状態を受信し、前記予備ラインが正常な待機状態であれば、前記現用ラインに含まれるパスを含むバーチャルコンカチネーション信号に該予備ラインに含まれるパスを組み込み、前記予備ラインが使用不可状態または使用状態であれば、前記プロテクション制御部で選択されたパスのみで前記バーチャルコンカチネーション信号を再構成する帯域管理部を有する伝送装置。
【請求項１３】
前記現用ラインおよび前記予備ラインを入力として前記プロテクション制御部からの制御に従ってラインの接続を切り替えるライン接続部と、
前記帯域管理部からの指示に従って前記バーチャルコンカチネーション信号を構成する連結処理部とをさらに有する請求項１２記載の伝送装置。
【請求項１４】
前記現用ラインまたは前記予備ラインをそれぞれ収容し、前記ライン接続部に接続する複数の第１のインタフェースをさらに有する、請求項１３記載の伝送装置。
【請求項１５】
前記連結処理部により構成されたバーチャルコンカチネーション信号をユーザ装置との間で送受信する第２のインタフェースをさらに有する、請求項１３または１４記載の伝送装置。
【請求項１６】
前記プロテクション制御は、リニアプロテクションの制御である、請求項１６記載の伝送装置。
【請求項１７】
複数の伝送経路による冗長構成の経路を選択する機能を有するネットワークを構成する伝送装置であって、
所定の現用伝送経路および予備伝送経路から使用する経路を選択する経路選択部と、
前記予備伝送経路が正常状態でかつ前記経路選択部により選択されていなければ、前記予備伝送経路を前記現用伝送経路と連結し、前記予備伝送経路が前記経路選択部により選択されているかまたは使用不可状態であれば、前記現用伝送経路と前記予備伝送経路の連結を解除する帯域管理部を有する伝送装置。
【請求項１８】
複数のパスを連結して１つの伝送帯域を構成するバーチャルコンカチネーション処理と、複数のパスによる冗長構成において前記各パスの状態に応じて使用するパスを選択するプロテクション制御とが適用されたネットワークシステムであって、
所定の現用パスおよび予備パスに対して前記プロテクション制御を実行していずれか一方のパスを選択し、前記プロテクション制御において前記予備パスが正常な待機状態であれば、前記バーチャルコンカチネーション処理において前記現用パスを含むバーチャルコンカチネーション信号に該予備パスを組み込み、前記予備パスが使用不可状態または使用状態であれば、前記プロテクション制御により選択されたパスのみで前記バーチャルコンカチネーション信号を再構成する複数の伝送装置と、
前記伝送装置間を接続し、前記現用パスまたは前記予備パスを収容する複数の伝送路を有するネットワークシステム。
【請求項１９】
前記ネットワークはリングネットワークであり、前記プロテクション制御はリングプロテクションの制御である、請求項１８記載のネットワークシステム。
【請求項２０】
複数のパスを連結して１つの伝送帯域を構成するバーチャルコンカチネーション処理と、複数のラインによる冗長構成において前記各ラインの状態に応じて使用するラインを選択するプロテクション制御とが適用されたネットワークシステムであって、
所定の現用ラインおよび予備ラインに対して前記プロテクション制御を実行していずれか一方のラインを選択し、前記予備ラインが正常な待機状態であれば、前記現用ラインに含まれるパスを含むバーチャルコンカチネーション信号に該予備ラインに含まれるパスを組み込み、前記予備ラインが使用不可状態または使用状態であれば、前記プロテクション制御により選択されたラインに含まれるパスのみで前記バーチャルコンカチネーション信号を再構成する伝送装置と、
前記伝送装置間を接続し、前記現用ラインまたは前記予備ラインを収容する複数の伝送路を有するネットワークシステム。
【請求項２１】
前記プロテクション制御は、リニアプロテクションの制御である、請求項２０記載のネットワークシステム。
【請求項２２】
伝送路によって相互に接続された複数の伝送装置を有するネットワークシステムにおいて、
前記伝送装置が請求項６〜１７のいずれか１項に記載された伝送装置であることを特徴とするネットワークシステム。
【発明の詳細な説明】
【０００１】
【発明の属する技術分野】
本発明は、ＳＤＨのリングネットワークに関し、特に、ＳＤＨネットワークの伝送路の信頼性および利用効率の向上に関する。
【０００２】
【従来の技術】
ＳＤＨハイアラーキは、主に音声系サービスの信号を伝送することを目的として規定されたものである。しかし、近年では、音声系サービスに加えて、データ系サービスのトラフィック量が急激に増大している。そのため、ＳＤＨネットワークでデータ系サービスの信号を効率良く伝送する要求が高まっている。
【０００３】
イーサネットに代表されるデータ系サービスには、様々なデータレートのものがある。従来のＳＤＨハイアラーキは、それらデータ系サービスの信号を効率的に収容することができなかった。そのため、ＳＤＨハイアラーキにデータ系サービスの信号を効率的に収容するための様々な試みがなされていた。ＳＤＨハイアラーキにデータ系サービスの信号を効率的に収容するために、ＩＴＵ−Ｔ　Ｇ．７０７他ではバーチャルコンカチネーション技術が勧告されている。
【０００４】
バーチャルコンカチネーションによれば、Ｎ個（Ｎは任意）のＳＤＨパスを連結（コンカチネーション）することで、ＳＤＨパスの伝送帯域の任意倍（Ｎ倍）の伝送帯域のバーチャルコンカチネーション信号を実現できる。それにより、様々なデータレートのデータ系サービスをＳＤＨのネットワークに収容することが可能となる。
【０００５】
【発明が解決しようとする課題】
ＳＤＨによる光リングネットワークは、保守および運用の容易性から、既に多くの場所で用いられている。ＳＤＨによる光リングネットワークには様々な種類のものがあるが、代表的なものとして、ＩＴＵ−Ｔ　Ｇ．８４１で勧告されているＭＳ−ＳＰＲＩＮＧ（ＭＳ　ｓｈａｒｅｄ　ｐｒｏｔｅｃｔｉｏｎ　ｒｉｎｇ）によるネットワークがある。ＭＳ−ＳＰＲＩＮＧネットワークでは、信号の流れる方向が互いに異なるリング型の伝送路によって複数のノードが接続されている。また、伝送路の帯域は、Ｗｏｒｋｉｎｇ（現用）およびＰｒｏｔｅｃｔｉｏｎ（予備）のために２等分されている。ＭＳ−ＳＰＲＩＮＧネットワークにおいて、送信側のノードと受信側のノート゛の間にはＷｏｒｋｉｎｇ（現用）およびＰｒｏｔｅｃｔｉｏｎ（予備）のパスが設定されている。そして、現用パスは現用の帯域に設定されており、予備のパスは予備の帯域に設定されている。ある伝送路に障害が発生すると、その伝送路に設定されていた現用パスで伝送されていたデータ等は、その現用パスに対応する予備パスに切り替わる。この機能はプロテクションと呼ばれる。このプロテクションにより、ＭＳ−ＳＰＲＩＮＧネットワークは障害に対する高い信頼性を実現している。一方、その高い信頼性を確保するために、ＭＳ−ＳＰＲＩＮＧネットワークが物理的に有する伝送帯域の半分は障害時のための予備として使用されずに確保されている。
【０００６】
ＭＳ−ＳＰＲＩＮＧに代表されるように、ＳＤＨリングシステムでは、一般に伝送帯域の半分が障害回避のための予備として確保されている。そのため、一般的なＳＤＨリングシステムは、伝送帯域を半分しか利用できず、伝送帯域の利用効率が良くない。
【０００７】
これに対して、障害の無い正常な状態に限って、予備の伝送帯域をサービスに用いることにより、伝送帯域を効率よく利用することのできるＳＤＨリングシステムも考えられている。しかし、そのシステムでは、いずれかの伝送路に障害が発生して、予備の帯域への切り替えが実行されると、その予備の帯域を利用していたサービスは切断される。
【０００８】
例えば、予備の帯域を現用の帯域と共に単純にバーチャルコンカチネーション信号の構成要素としてサービスに利用することが考えられる。バーチャルコンカチネーション信号は、複数のＳＤＨパスのタイミングを同期させて、それらチャネルを論理的に連結したチャネルである。そのため、バーチャルコンカチネーションには、その構成要素となるＳＤＨパスのうち、１つでも障害になると、そのＳＤＨパスを含むバーチャルコンカチネーション信号全体が障害になるという問題がある。このようなシステムでは、サービスを継続するためにプロテクションが実行されると、その予備の帯域にあるＳＤＨパスを構成要素としていたバーチャルコンカチネーション信号に収容されていた全てのサービスが切断される。
【０００９】
以上のように伝送帯域の利用効率と伝送路の信頼性とを両立することは困難であるとされているが、ネットワークサービス事業者は、それらを両立する新たな方法を強く求めている。
【００１０】
本発明の目的は、伝送帯域の利用効率と伝送路の信頼性とを両立してデータ系サービスを収容するネットワークおよびそれを構成する伝送装置を提供することである。
【００１１】
【課題を解決するための手段】
上記目的を達成するために、本発明の伝送経路設定方法は、複数のパスを連結して１つの伝送帯域を構成するバーチャルコンカチネーション処理と、複数のパスによる冗長構成において各パスの状態に応じて使用するパスを選択するプロテクション制御とが適用されたネットワークを構成する伝送装置における伝送経路設定方法であって、所定の設定に従って現用パスおよび予備パスを設定するステップと、プロテクション制御において予備パスが正常な待機状態であれば、現用パスを含むバーチャルコンカチネーション信号にその予備パスを組み込むステップと、プロテクション制御において予備パスが使用不可状態であれば、バーチャルコンカチネーション信号からその予備パスを削除するステップと、プロテクション制御において予備パスが使用状態であれば、その予備パスのみでバーチャルコンカチネーション信号を再構成するステップを有している。また、ネットワークはリングネットワークであり、プロテクション制御はリングプロテクションの制御であってもよい。
【００１２】
したがって、本発明の伝送経路選択方法によれば、通常時には、予備パスをバーチャルコンカチネーションの構成要素として使用することにより伝送帯域を効率的に利用し、また、現用パスの障害などのときには、プロテクションを実行しさらにバーチャルコンカチネーションに利用可能なパスだけでバーチャルコンカチネーション信号を構成することにより障害に対する信頼性を確保するので、伝送帯域の効率的な利用とパスの信頼性を両立させることができる。
【００１３】
本発明の他の伝送経路設定方法は、複数のラインに含まれているパスを連結して１つの伝送帯域を構成するバーチャルコンカチネーション処理と、複数のラインによる冗長構成において各ラインの状態に応じて使用するラインを選択するプロテクション制御とが適用されたネットワークを構成する伝送装置における伝送経路設定方法であって、所定の設定に従って現用ラインおよび予備ラインを設定するステップと、プロテクション制御において予備ラインが正常な待機状態であれば、現用ラインに含まれるパスを含むバーチャルコンカチネーション信号にその予備ラインに含まれるパスを組み込むステップと、プロテクション制御において予備ラインが使用不可状態であれば、バーチャルコンカチネーション信号からその予備ラインに含まれるパスを削除するステップと、プロテクション制御において予備ラインが使用状態であれば、その予備ラインに含まれるパスのみでバーチャルコンカチネーション信号を再構成するステップを有している。また、プロテクション制御は、１＋１のリニアプロテクションの制御であってもよい。
【００１４】
本発明のさらに他の伝送経路設定方法は、複数の伝送経路による冗長構成の経路選択制御を有するネットワークを構成する伝送装置における伝送経路設定方法であって、所定の設定に従って現用の伝送経路と予備の伝送経路を設定するステップと、経路選択制御において予備の伝送経路が正常な待機状態であれば、予備の伝送経路を現用の伝送経路に連結するステップと、経路選択制御において予備の伝送経路が使用不可状態または使用状態であれば、現用の伝送経路と予備の伝送経路の連結を解除するステップを有している。
【００１５】
本発明の伝送装置は、複数のパスを連結して１つの伝送帯域を構成するバーチャルコンカチネーション処理と、複数のパスによる冗長構成において前記各パスの状態に応じて使用するパスを選択するプロテクション制御とが適用されたネットワークを構成する伝送装置であって、所定の現用パスおよび予備パスに対して前記プロテクション制御を実行し、いずれか一方のパスを選択して使用するプロテクション制御部と、プロテクション制御部から現用パスおよび予備パスの状態を受信し、予備パスが正常な待機状態であれば、現用パスを含むバーチャルコンカチネーション信号にその予備パスを組み込み、予備パスが使用不可状態または使用状態であれば、プロテクション制御部で選択されたパスのみでバーチャルコンカチネーション信号を再構成する帯域管理部を有している。
【００１６】
本発明の他の伝送装置は、複数のパスを連結して１つの伝送帯域を構成するバーチャルコンカチネーション処理と、複数のパスによる冗長構成において各パスの状態に応じて使用するパスを選択するプロテクション制御とが適用されたネットワークを構成する伝送装置であって、所定の現用パスおよび予備パスに対してプロテクション制御を実行し、いずれか一方のパスを選択して使用するプロテクション制御部と、プロテクション制御部によって予備パスが選択され現用パスの代わりに使用されたとき、または予備パスが使用不可状態となったとき、予備パスに代えてアラーム表示信号を挿入するアラーム表示信号挿入部と、アラーム表示信号が挿入されたパスを検出するパス監視部と、パス監視部においてアラーム表示信号が検出されなければ、現用パスを含むバーチャルコンカチネーション信号に予備パスを組み込み、アラーム表示信号が検出されれば、アラーム表示信号が検出されたパスをバーチャルコンカチネーション信号から削除する帯域管理部を有している。
【００１７】
上述の各伝送装置は、現用パスおよび予備パスを入力としてプロテクション制御部からの制御に従ってパスの接続を切り替えるパス接続部と、帯域管理部からの指示に従ってバーチャルコンカチネーション信号を構成する連結処理部とをさらに有してもよい。また、現用パスまたは予備パスを含むラインを収容し、パス接続部に接続する少なくとも１つの第１のインタフェースをさらに有してもよい。また、連結処理部により構成されたバーチャルコンカチネーション信号をユーザ装置との間で送受信する第２のインタフェースをさらに有してもよい。また、ネットワークはリングネットワークであり、プロテクション制御はリングプロテクションの制御であってもよい。
【００１８】
本発明のさらに他の伝送装置は、複数のパスを連結して１つの伝送帯域を構成するバーチャルコンカチネーション処理と、複数のラインによる冗長構成において各ラインの状態に応じて使用するラインを選択するプロテクション制御とが適用されたネットワークを構成する伝送装置であって、所定の現用ラインおよび予備ラインに対してプロテクション制御を実行し、いずれか一方のラインを選択して使用するプロテクション制御部と、プロテクション制御部から現用ラインおよび予備ラインの状態を受信し、予備ラインが正常な待機状態であれば、現用ラインに含まれるパスを含むバーチャルコンカチネーション信号にその予備ラインに含まれるパスを組み込み、予備ラインが使用不可状態または使用状態であれば、プロテクション制御部で選択されたパスのみでバーチャルコンカチネーション信号を再構成する帯域管理部を有している。
【００１９】
この伝送装置は、現用ラインおよび予備ラインを入力としてプロテクション制御部からの制御に従ってラインの接続を切り替えるライン接続部と、帯域管理部からの指示に従ってバーチャルコンカチネーション信号を構成する連結処理部とをさらに有してもよい。また、現用ラインまたは予備ラインをそれぞれ収容し、ライン接続部に接続する複数の第１のインタフェースをさらに有してもよい。また、連結処理部により構成されたバーチャルコンカチネーション信号をユーザ装置との間で送受信する第２のインタフェースをさらに有している。また、プロテクション制御は、リニアプロテクションの制御であってもよい。
【００２０】
本発明のさらに他の伝送装置は、複数の伝送経路による冗長構成の経路を選択する機能を有するネットワークを構成する伝送装置であって、所定の現用伝送経路および予備伝送経路から使用する経路を選択する経路選択部と、予備伝送経路が正常状態でかつ経路選択部により選択されていなければ、予備伝送経路を現用伝送経路と連結し、予備伝送経路が経路選択部により選択されているかまたは使用不可状態であれば、現用伝送経路と予備伝送経路の連結を解除する帯域管理部を有している。
【００２１】
本発明のネットワークシステムは、複数のパスを連結して１つの伝送帯域を構成するバーチャルコンカチネーション処理と、複数のパスによる冗長構成において前記各パスの状態に応じて使用するパスを選択するプロテクション制御とが適用されたネットワークシステムであって、所定の現用パスおよび予備パスに対してプロテクション制御を実行していずれか一方のパスを選択し、プロテクション制御において予備パスが正常な待機状態であれば、バーチャルコンカチネーション処理において現用パスを含むバーチャルコンカチネーション信号にその予備パスを組み込み、予備パスが使用不可状態または使用状態であれば、プロテクション制御により選択されたパスのみでバーチャルコンカチネーション信号を再構成する複数の伝送装置と、伝送装置間を接続し、現用パスまたは予備パスを収容する複数の伝送路を有している。また、ネットワークはリングネットワークであり、プロテクション制御はリングプロテクションの制御であってもよい。
【００２２】
本発明の他のネットワークシステムは、複数のパスを連結して１つの伝送帯域を構成するバーチャルコンカチネーション処理と、複数のラインによる冗長構成において各ラインの状態に応じて使用するラインを選択するプロテクション制御とが適用されたネットワークシステムであって、所定の現用ラインおよび予備ラインに対してプロテクション制御を実行していずれか一方のラインを選択し、予備ラインが正常な待機状態であれば、現用ラインに含まれるパスを含むバーチャルコンカチネーション信号にその予備ラインに含まれるパスを組み込み、予備ラインが使用不可状態または使用状態であれば、プロテクション制御により選択されたラインに含まれるパスのみでバーチャルコンカチネーション信号を再構成する伝送装置と、伝送装置間を接続し、現用ラインまたは予備ラインを収容する複数の伝送路を有している。また、プロテクション制御は、リニアプロテクションの制御であってもよい。
【００２３】
本発明のさらに他のネットワークシステムは、伝送路によって相互に接続された複数の伝送装置を有するネットワークシステムにおいて、伝送装置が上述した本発明の伝送装置のいずれかであることを特徴としている。
【００２４】
【発明の実施の形態】
本発明の一実施形態について図面を参照して詳細に説明する。
【００２５】
本実施形態のネットワークシステムは、ＭＳ−ＳＰＲＩＮＧ機能を搭載したＳＤＨリングシステムであり、またバーチャルコンカチネーションを用いてデータ系サービスを収容する。
【００２６】
図１は、本実施形態のネットワークシステムの構成を示すブロック図である。図１を参照すると、ネットワークシステム１０は、一例として２ファイバ（２Ｆ）のＭＳ−ＳＰＲＩＮＧシステムであり、４つのノード１１を有している。全てのノード１１は同じ構成である。
【００２７】
図２は、本実施形態のノードの構成を示すブロック図である。図２を参照すると、ノード１１は、ＳＤＨインタフェース２１，２２、パス接続部２３、プロテクション制御部２４、連結処理部２５、帯域管理部２６およびユーザインタフェース２７を有している。
【００２８】
ＳＤＨインタフェース２１，２２は、隣接する他のノードとのインタフェースであり、他のノードとの間で複数のＳＤＨパスの含むＳＤＨラインを伝送する。ＳＤＨインタフェース部２１，２２で受信されたＳＤＨパスはパス接続部２３に供給される。また、パス接続部２３からのＳＤＨパスはＳＤＨインタフェース２１，２２から送信される。
【００２９】
また、ＳＤＨインタフェース２１，２２は、受信側の伝送路について、伝送路の状態およびＳＤＨオーバヘッドの情報を監視している。そして、ＳＤＨインタフェース２１，２２は、各伝送路の状態と、プロテクションプロトコルに用いられるＳＤＨオーバヘッド内の情報（以下、プロテクション情報と称す）とをプロテクション制御部２４に送る。
【００３０】
また、ＳＤＨインタフェース２１，２２は、プロテクション制御部２４からプロテクション実行の通知を受けると、その旨をプロテクション情報として隣接する他のノードに通知する。
【００３１】
パス接続部２３は、上位オペレーションシステム（不図示）からのパス設定情報に従って、ＳＤＨインタフェース２１，２２と連結処理部２５とをＳＤＨパス２８の単位で接続する。上位オペレーションシステムは、例えば、運用および保守のために本実施形態のネットワークシステム１０を監視し、制御するシステムである。また、上位オペレーションシステムは、例えば所定のノードに接続され、そのノードおよび他のノードを監視し、制御する。他のノードの監視および制御には、ＳＤＨフレームのオーバヘッドにあるＤＣＣ（Ｄａｔａ　Ｃｏｍｍｕｎｉｃａｔｉｏｎ　Ｃｈａｎｎｅｌ）が用いられる。
【００３２】
また、パス接続部２３は、プロテクション制御部２４からの指示に従ってＳＤＨインタフェース２１，２２と連結処理部２５との接続を変更する。
【００３３】
プロテクション制御部２４は、ＳＤＨインタフェース部２１，２２から受信した各伝送路の状態とプロテクション情報とから、プロテクションを実行するか否か判定する。プロテクション制御部２４は、プロテクションを行うとき、パス接続部２３にプロテクションの実行（すなわち、接続の変更）を指示し、ＳＤＨインタフェース２１，２２および帯域管理部２６に、プロテクション実行により使用されるＳＤＨパスと、各ＳＤＨパスの状態とを通知する。ここで実行されるプロテクションはリングプロテクションである。リングプロテクションとは、リング型ネットワークの２つノード間における現用から予備へのパス単位での切り替え動作である。２つのノード間におけるパスを切り替えるために、その２つのノードだけでなく、ネットワークシステム１０内の他のノードも必要に応じてパスの接続を変更する。
【００３４】
連結処理部２５は、帯域管理部２６からの指示に従って、パス接続部２３との間の複数のＳＤＨパス２８を連結し、ユーザインタフェース２７との間のバーチャルコンカチネーション信号２９を構成する。
【００３５】
帯域管理部２６は、プロテクション制御部２４から通知された情報に基づいて、連結処理部２５に対してＳＤＨパス２８の連結を指示する。プロテクション制御において現用パスが選択されており、予備パスの正常かつ待機している状態では、現用パスを含むバーチャルコンカチネーション信号の構成要素に予備パスを含めることで予備パスの伝送帯域を有効利用する。また、プロテクション制御において予備パスが選択され使用されている状態であれば、選択されている予備パスのみでバーチャルコンカチネーション信号を構成する。予備パスが選択され使用されるのは、現用パスに障害が発生したときや、オペレータが強制的に予備パスを選択したときなどである。また、プロテクション制御において現用パスが選択されているが、予備パスが使用不可の状態であれば、現用パスのみでバーチャルコンカチネーション信号を構成する。予備パスが使用不可の状態とは、予備パスに障害が発生している状態や、オペレータが予備パスを強制的に非運用に設定した状態などである。これらにより、バーチャルコンカチネーション信号２９の伝送帯域が増減する。
【００３６】
ユーザインタフェース２７は、バーチャルコンカチネーション信号２７をユーザ装置（不図示）と送受信する。
【００３７】
本実施形態のノード１１の動作について説明する。
【００３８】
図２においてＳＤＨインタフェース２１，２２に収容されるＳＤＨパスは半分が現用であり、残りの半分が予備である。ここでは、ＳＤＨインタフェース２１に収容されているＳＤＨパスが現用であり、ＳＤＨインタフェース２２に収容されているＳＤＨパスが予備であるとする。プロテクション制御における通常状態では、正常な現用のＳＤＨパスが使用されており、予備のＳＤＨパスは正常であるが未使用で待機している状態である。このとき、予備のＳＤＨパスは現用のＳＤＨパスと共にバーチャルコンカチネーションにより連結されている。
【００３９】
図２では、ＳＤＨインタフェース２１の２つのＳＤＨパスと、ＳＤＨインタフェース２２の２つのＳＤＨパスが連結処理部２５にて連結され、バーチャルコンカチネーション信号２９としてユーザインタフェース２７に接続されている。つまり、通常状態では、バーチャルコンカチネーション信号２９は、４つのＳＤＨパス２８の分の伝送帯域を有している。
【００４０】
図３は、伝送路の障害によりプロテクションが実行されたときのノード１１の各部の動作を示すシーケンス図である。図４は、伝送路の障害によりプロテクションが実行されたときのノード１１の動作状態を示す図である。
【００４１】
図３を参照すると、まず、図４に示すようにＳＤＨインタフェース２１に接続された伝送路に障害が発生したとする。ＳＤＨインタフェース２１は、伝送路の障害を検出し、それをプロテクション制御部２４に通知する（ステップＳ１）。
【００４２】
プロテクション制御部２４は、ＳＤＨインタフェース２１から伝送路障害の通知を受けると、障害となった伝送路に設定されている現用のＳＤＨパスに代えて、予備のＳＤＨパスを連結処理部２５に接続するように、パス接続部２３に指示する（ステップＳ２）。プロテクション制御部２４の指示により、パス接続部２３でプロテクションが実行されると、パスの接続は図４に示すようになる。これにより、予備のＳＤＨパスは現用のＳＤＨパスの代わりに使用されるので、正常かつ待機している状態ではなくなる。
【００４３】
また、プロテクション制御部２４は、プロテクション実行を帯域管理部２６に通知する。なお、プロテクションは、実際には、プロテクションが実行された後の状態が対向ノードに通知されることにより完了するが、説明を簡単にするために図３では省略されている。
【００４４】
帯域管理部２６は、プロテクション制御部２４からプロテクション実行の通知を受けると、プロテクション実行により構成要素として使用できなくなったＳＤＨパスを、バーチャルコンカチネーション信号２９から削除するように、連結処理部２５に指示する（ステップＳ３）。これにより、バーチャルコンカチネーション信号２９の伝送帯域が減少される。
【００４５】
その結果、バーチャルコンカチネーション信号の伝送帯域は減少するが、サービス可能なＳＤＨパスのみを結合したバーチャルコンカチネーションが形成され、サービスが維持される。
【００４６】
なお、図３および図４では、現用のＳＤＨパスの障害によるプロテクションの実行により、現用のＳＤＨパスと予備のＳＤＨパスとをバーチャルコンカチネーション信号に連結できなくなった場合を示した。その他に、予備のＳＤＨパスに障害が発生した場合も、予備のＳＤＨパスをバーチャルコンカチネーションの構成要素として使用できなくなる。この場合、プロテクション制御部２４からのパス接続部２３への指示は、ＳＤＨインタフェース２１からのＳＤＨパスを連結処理部２５に接続しておき、ＳＤＨインタフェース２２からのＳＤＨパスを切断するだけである。帯域管理部２６から連結処理部２５への指示は、使用できなくなったＳＤＨパスをバーチャルコンカチネーション信号２９から削除するものである。
【００４７】
また、オペレータが強制的に、ＳＤＨパスの切り替えを実行した場合や、ＳＤＨインタフェース２２または予備のＳＤＨパスを運用停止の状態にした場合にも、上述と同様にして、バーチャルコンカチネーション信号の帯域は減少される。つまり、予備のＳＤＨパスは、障害がなく正常な状態で、かつプロテクション制御において使用されておらず待機している状態のとき、バーチャルコンカチネーション信号２９に組み込まれることができる。なお、予備のＳＤＨパスは、プロテクション制御において現用のＳＤＨパスの代わりに使用されれば、結果的にバーチャルコンカチネーション信号の構成要素となる。その場合、現用のＳＤＨパスは結果的にバーチャルコンカチネーション信号の構成要素でなくなる。
【００４８】
また、伝送路障害の復旧がＳＤＨインタフェース２１で検出され、プロテクション制御部２４に通知されると、プロテクション制御部２４はパス接続を元に戻す（図２参照）。それにより、予備のＳＤＨパスがバーチャルコンカチネーションの構成要素として使用可能な状態となる。予備のＳＤＨパスが使用可能な状態となると、帯域管理部２６は、予備のＳＤＨパスをバーチャルコンカチネーションの構成要素とするように（図２参照）、連結処理部２５に指示する。これにより、バーチャルコンカチネーション信号２９の伝送帯域が元に戻る。
【００４９】
以上説明したように、本実施形態のノード１１によれば、通常時には、予備のＳＤＨパスをバーチャルコンカチネーションの構成要素として使用することにより伝送帯域を効率的に利用でき、また、現用のＳＤＨパスの障害時などには、プロテクション制御において予備のＳＤＨパスを現用のＳＤＨパスの代わりに使用すると共に、正常に使用できるＳＤＨパスだけでバーチャルコンカチネーション信号を動的に再構成してサービスを継続させるので、伝送帯域の効率的な利用と伝送路の信頼性を両立させることができる。
【００５０】
本発明の他の実施形態について説明する。
【００５１】
本発明の他の実施形態においても、ネットワークシステムはＭＳ−ＳＰＲＩＮＧのＳＤＨリングシステムであるとする。図５は、本発明の他の実施形態のノードの構成を示すブロック図である。図５を参照すると、ノード３０は、ＳＤＨインタフェース３１，３２、パス接続部３３、プロテクション制御部３４、連結制御部３５、帯域管理部３６、ユーザインタフェース３７およびパス監視部４０を有している。
【００５２】
ＳＤＨインタフェース３１，３２、連結処理部３５およびユーザインタフェース３７は、図２のＳＤＨインタフェース２１，２２、連結処理部２５およびユーザインタフェース２７とそれぞれ同じものである。
【００５３】
パス接続部３３は、図２のパス接続部２３と同様のものであるが、ＡＩＳ挿入部４１を有する点で図２のものと異なる。ＡＩＳ挿入部４１は、プロテクション制御部２４からの指示により接続を変更したとき、パス監視部４０に接続されなくなったＳＤＨインタフェース３１，３２からのＳＤＨパスの代わりにＡＩＳ（Ａｌｅｒｍ　Ｉｎｄｉｃａｔｉｏｎ　Ｓｉｇｎａｌ：アラーム表示信号）を送信する。
【００５４】
プロテクション制御部３４は、図２のプロテクション制御部２４と同様のものであるが、帯域管理部３６に対して、プロテクションの実行を通知する必要がない。
【００５５】
帯域管理部３６は、図２の帯域管理部２６と同様のものである。ただし、プロテクション実行の通知をプロテクション制御部３４から受信せず、ＡＩＳが受信されているデータラインをパス監視部４０から通知され、ＡＩＳが受信されているデータラインに接続されていたＳＤＨパスをバーチャルコンカチネーション信号から削除するように、連結処理部３５に指示する。
【００５６】
パス監視部４０は、図２には無い機能であり、パス接続部３３からのＳＤＨパスを監視し、ＡＩＳを検出する。パス監視部４０は、パス接続部３３からＡＩＳを受信しているデータラインがあれば、そのデータラインを帯域管理部３６に通知する。
【００５７】
図５のノードの動作について説明する。図６は、伝送路の障害によりプロテクションが実行されたときのノード３１の動作状態を示す図である。
【００５８】
まず、図６のに示すようにＳＤＨインタフェース３１に接続された伝送路に障害が発生したとする。ＳＤＨインタフェース３１は、伝送路の障害を検出し、それをプロテクション制御部３４に通知する。
【００５９】
プロテクション制御部３４は、ＳＤＨインタフェース３１から伝送路障害の通知を受けると、障害となったＳＤＨパスに代えて、予備のＳＤＨパスをパス監視部４０に接続するように、パス接続部３３に指示する。プロテクション制御部３４の指示により、パス接続部３３でプロテクションが実行されると、パスの接続は図６に示すようになる。これにより、予備のＳＤＨパスは、バーチャルコンカチネーション信号２９の構成要素として使用できなくなる。また、それまでＳＤＨインタフェース３２に接続されていたデータラインでは、パス監視部４０に向けてＡＩＳが送信される。この処理はリングシステムにおいて、スケルチ処理としてよく知られている。
【００６０】
パス監視部４０は、ＡＩＳの検出されたデータラインを帯域管理部３６に通知する。帯域管理部３６は、パス監視部４０からの通知に基づき、ＡＩＳが検出さえているＳＤＨパスをバーチャルコンカチネーション信号３９から削除するように、連結処理部３５に指示する。これにより、バーチャルコンカチネーション信号３９の伝送帯域が減少される。
【００６１】
その結果、サービス可能なＳＤＨパスのみを結合したバーチャルコンカチネーションが形成され、サービスが維持される。
【００６２】
なお、伝送路障害の復旧がＳＤＨインタフェース３１で検出され、プロテクション制御部３４に通知されると、プロテクション制御部３４はパス接続を元に戻す（図５参照）。それにより、予備のＳＤＨパスがバーチャルコンカチネーションの構成要素として使用可能な状態となる。予備のＳＤＨパスが使用可能な状態となると、ＡＩＳが消えるので、パス監視部４０からＡＩＳが消えた旨が帯域管理部３６に通知される。帯域管理部３６は、予備のＳＤＨパスをバーチャルコンカチネーションの構成要素とするように（図５参照）、連結処理部３５に指示する。これにより、バーチャルコンカチネーション信号３９の伝送帯域が元に戻る。
【００６３】
なお、ここでは、現用の伝送路の障害によるプロテクションの実行により、予備のＳＤＨパスが現用のＳＤＨパスの代わりに使用され、現用のＳＤＨパスと予備のＳＤＨパスとを連結してバーチャルコンカチネーション信号の帯域を拡張することができなくなった場合を示した。その他に、予備の伝送路に障害が発生した場合も、予備のＳＤＨパスがバーチャルコンカチネーションの構成要素として使用できなくなる。また、オペレータが強制的に、ＳＤＨパスの切り替えを実行した場合や、予備のＳＤＨパスを非運用状態にした場合にも、バーチャルコンカチネーション信号の帯域は動的に縮小される。つまり、予備のＳＤＨパスは、障害がなく正常な状態で、かつプロテクション切り替えにより使用されておらず待機している状態のとき、バーチャルコンカチネーション信号３９に組み込まれることができる。ＡＩＳ挿入部４１は、これら全ての場合に、パス監視部４０に接続されなくなったＳＤＨインタフェース３１，３２からのＳＤＨパスの代わりにＡＩＳを送信する。
【００６４】
本発明のさらに他の実施形態について説明する。
【００６５】
本発明のさらに他の実施形態のネットワークシステムは、リングシステムでなく、リニアシステムである。図７は、本発明のさらに他の実施形態のネットワークシステムの構成を示すブロック図である。図７を参照すると、ネットワークシステム５０は、２つのノード５１を有している。全てのノード５１は同じ構成である。
【００６６】
図８は、図７に示されたノード５１の構成を示すブロック図である。図８を参照すると、ノード５１は、ＳＤＨインタフェース６１，６２、ライン選択部６３、プロテクション制御部６４、連結処理部６５、帯域管理部６６およびユーザインタフェース６７を有している。
【００６７】
ＳＤＨインタフェース６１，６２は、隣接する他のノードとのインタフェースであり、複数のＳＤＨパスを含むＳＤＨラインを他のノードとの間で伝送する。ＳＤＨインタフェース部６１，６２で受信されたＳＤＨラインはライン選択部６３に供給される。また、ライン選択部６３からのＳＤＨラインはＳＤＨインタフェース６１，６２から送信される。
【００６８】
また、ＳＤＨインタフェース６１，６２は、受信側の伝送路について、伝送路の状態およびＳＤＨオーバヘッドの情報を監視している。そして、ＳＤＨインタフェース６１，６２は、各伝送路の状態と、プロテクションプロトコルに用いられるＳＤＨオーバヘッド内の情報（以下、プロテクション情報と称す）とをプロテクション制御部６４に送る。
【００６９】
また、ＳＤＨインタフェース６１，６２は、プロテクション制御部６４からプロテクション実行の通知を受けると、その旨をプロテクション情報として隣接する他のノードに通知する。
【００７０】
ライン選択部６３は、上位オペレーションシステム（不図示）からのライン設定情報に従って、ＳＤＨインタフェース６１，６２と連結処理部６５とをＳＤＨライン６８の単位で接続する。また、ライン選択部６３は、プロテクション制御部６４からの指示に従って接続を変更する。
【００７１】
プロテクション制御部６４は、ＳＤＨインタフェース部６１，６２から受信した各伝送路の状態とプロテクション情報とから、プロテクションを実行するか否か判定する。プロテクション制御部６４は、プロテクションを行うとき、ライン選択部６３にプロテクションの実行（すなわち、接続の変更）を指示し、ＳＤＨインタフェース６１，６２および帯域管理部６６にプロテクションの実行を通知する。ここで実行されるプロテクションは、例えば、リニアプロテクションである。リニアプロテクションは、対向する２つのノード間における現用から予備へのＳＤＨライン単位での切り替え動作である。ここでは、１つの現用のＳＤＨラインに対して１つの予備のＳＤＨラインが設けられた、１＋１の冗長構成であるとする。なお、本実施形態の冗長構成は、ｎ個の現用ラインに対して１つの予備のＳＤＨラインが設けられたｎ＋１の構成であってもよく、さらにｎ＋ｍ（ｎ≧ｍ）の冗長構成であってもよい。
【００７２】
連結処理部６５は、帯域管理部６６からの指示に従って、パス接続部６３との間の複数のＳＤＨライン６８に含まれるＳＤＨパスを連結し、ユーザインタフェース６７との間のバーチャルコンカチネーション信号６９を構成する。
【００７３】
帯域管理部６６は、プロテクション制御部６４から通知された情報に基づいて、連結処理部６５に対してＳＤＨライン６８に含まれるＳＤＨラインの連結を指示する。これにより、バーチャルコンカチネーション信号６９の伝送帯域が増減する。
【００７４】
ユーザインタフェース６７は、バーチャルコンカチネーション信号６７をユーザ装置（不図示）と送受信する。
【００７５】
本実施形態のノード５１の動作について説明する。
【００７６】
図８においてＳＤＨインタフェース６１に収容されているＳＤＨラインが現用であり、ＳＤＨインタフェース６２に収容されているＳＤＨラインが予備であるとする。プロテクション制御における通常状態では、正常な現用のＳＤＨラインが使用されており、予備のＳＤＨラインは正常であるが未使用で待機している状態である。このとき、予備のＳＤＨラインに含まれているＳＤＨパスは、現用のＳＤＨラインに含まれているＳＤＨパスと共にバーチャルコンカチネーションにより連結されている。
【００７７】
図９は、伝送路の障害によりプロテクションが実行されたときのノード６１の動作状態を示す図である。
【００７８】
まず、図９に示すようにＳＤＨインタフェース６１に接続された伝送路に障害が発生したとする。ＳＤＨインタフェース６１は、伝送路の障害を検出し、それをプロテクション制御部６４に通知する。
【００７９】
プロテクション制御部６４は、ＳＤＨインタフェース６１から伝送路障害の通知を受けると、障害となった伝送路のＳＤＨラインに代えて、予備の伝送路のＳＤＨラインを連結処理部６５に接続するように、ライン選択部６３に指示する。プロテクション制御部６４の指示により、ライン選択部６３でプロテクションが実行されると、ラインの接続は図９に示すようになる。これにより、予備のＳＤＨラインは現用のＳＤＨラインの代わりに使用されるので、正常かつ待機している状態ではなくなる。したがって、現用のＳＤＨラインに含まれるＳＤＨパスと、予備のＳＤＨラインに含まれるＳＤＨパスを連結して伝送帯域を拡張することはできなくなる。
【００８０】
帯域管理部６６は、プロテクション制御部６４からプロテクション実行の通知を受けると、プロテクション実行により構成要素として使用できなくなったＳＤＨパスを、バーチャルコンカチネーション信号６９から削除するように、連結処理部６５に指示する。これにより、バーチャルコンカチネーション信号６９の伝送帯域が減少され、サービスが維持される。
【００８１】
また、伝送路障害の復旧がＳＤＨインタフェース６１で検出され、プロテクション制御部６４に通知されると、プロテクション制御部６４はライン接続を元に戻す（図８参照）。それにより、予備のＳＤＨラインに含まれるＳＤＨパスがバーチャルコンカチネーションの構成要素として使用可能な状態となる。予備のＳＤＨラインが使用可能な状態となると、帯域管理部６６は、予備のＳＤＨラインに含まれるＳＤＨパスをバーチャルコンカチネーションの構成要素とするように（図８参照）、連結処理部６５に指示する。これにより、バーチャルコンカチネーション信号６９の伝送帯域が元に戻る。
【００８２】
【発明の効果】
本発明の伝送経路選択方法によれば、通常時には、予備パスをバーチャルコンカチネーションの構成要素として使用することにより伝送帯域を効率的に利用し、また、現用パスの障害などのときには、プロテクションを実行しさらにバーチャルコンカチネーションに利用可能なパスだけでバーチャルコンカチネーション信号を構成することにより障害に対する信頼性を確保するので、伝送帯域の効率的な利用とパスの信頼性を両立させることができる。
【図面の簡単な説明】
【図１】本実施形態のネットワークシステムの構成を示すブロック図である。
【図２】本実施形態のノードの構成を示すブロック図である。
【図３】伝送路の障害によりプロテクションが実行されたときのノードの各部の動作を示すシーケンス図である。
【図４】伝送路の障害によりプロテクションが実行されたときの、図２のノードの動作状態を示す図である。
【図５】本発明の他の実施形態のノードの構成を示すブロック図である。
【図６】伝送路の障害によりプロテクションが実行されたときの、図５のノードの動作状態を示す図である。
【図７】本発明のさらに他の実施形態のネットワークシステムの構成を示すブロック図である。
【図８】図７に示されたノードの構成を示すブロック図である。
【図９】伝送路の障害によりプロテクションが実行されたときの、図８のノードの動作状態を示す図である。
【符号の説明】
１０，５０　　ネットワークシステム
１１，３０，５１　　ノード
２１，２２，３１，３２，６１，６２　　ＳＤＨインタフェース
２３，３３，６３　　パス接続部
２４，３４，６４　　プロテクション制御部
２５，３５，６５　　連結処理部
２６，３６，６６　　帯域管理部
２７，３７，６７　　ユーザインタフェース
２８，３８　　ＳＤＨパス
２９，３９，６９　　バーチャルコンカチネーション信号
４０　　パス監視部
４１　　ＡＩＳ挿入部
６８　　ＳＤＨライン
Ｓ１〜Ｓ３　　ステップ
【図１】
2004032061.tif 000003
【図２】
2004032061.tif 000004
【図３】
2004032061.tif 000005
【図４】
2004032061.tif 000006
【図５】
2004032061.tif 000007
【図６】
2004032061.tif 000008
【図７】
2004032061.tif 000009
【図８】
2004032061.tif 000010
【図９】
2004032061.tif 000011